(57)【要約】  【課題】  読み取られたブック原稿の見開き画像に生じた黒影画像を補正により消去する際の補正位置の指定，補正範囲の指定を自動化することにより，装置の操作性を向上させること。  【解決手段】  コンタクトガラス１２上に載置された原稿の画像データを読み取る画像読取手段と，上記画像読取手段により読み取られたブック原稿１の見開き画像を補正して，上記見開き画像の中央部の黒影画像を上記ブック原稿の地肌色或いは白色の画像に変換する黒影画像変換手段と，を備える画像処理装置に，上記ブック原稿１の見開き面中央部の上記コンタクトガラス１２からの浮き高さを測定する浮き高さ測定手段１７と，上記浮き高さ測定手段１７による測定結果に基づいて，上記黒影画像変換手段により上記地肌色或いは白色の画像に変換される上記黒影画像の補正範囲を自動的に決定する補正範囲決定手段と，を設ける。【選択図】図１
2005244825.tif 000002
【特許請求の範囲】
【請求項１】
コンタクトガラス上に載置された原稿の画像データを読み取る画像読取手段と，
上記画像読取手段により読み取られたブック原稿の見開き画像を補正して，上記見開き画像の中央部の黒影画像を上記ブック原稿の地肌色或いは白色の画像に変換する黒影画像変換手段と，
を備えてなる画像処理装置において，
上記ブック原稿の見開き面中央部の上記コンタクトガラスからの浮き高さを測定する浮き高さ測定手段と，
上記浮き高さ測定手段による測定結果に基づいて，上記黒影画像変換手段により上記地肌色或いは白色の画像に変換される上記黒影画像の補正範囲を自動的に決定する補正範囲決定手段と，
を具備してなることを特徴とする画像処理装置。
【請求項２】
上記コンタクトガラスに対する上記ブック原稿の見開き面中央部の位置を検出する中央位置検出手段を更に備え，
上記黒影画像変換手段は，上記中央位置検出手段により検出された上記ブック原稿の見開き面中央部の位置を中心にして，上記補正範囲決定手段により決定された補正範囲の上記見開き画像における画像領域を上記地肌色或いは白色の画像に変換するものである請求項１に記載の画像処理装置。
【請求項３】
上記浮き高さ測定手段は，
主走査方向若しくは副走査方向へ突出する長手部材と，
上記長手部材を上記コンタクトガラスの鉛直方向に移動自在に支持すると共に，上記副走査方向或いは上記主走査方向に平行移動可能に構成された支持部材と，
上記支持部材により支持された上記長手部材と上記コンタクトガラスとの離間距離を測定する離間距離測定手段と，
を備えて構成されたものである請求項１又は２に記載の画像処理装置。
【請求項４】
上記支持部材は上記コンタクトガラスの鉛直方向に上記長手部材を付勢する付勢手段を備えてなる請求項３に記載の画像処理装置。
【請求項５】
上記中央位置検出手段は，上記副走査方向或いは上記主走査方向に平行移動する上記支持部材或いは該支持部材に支持された上記長手部材の移動位置を検出することにより上記ブック原稿の見開き面中央部の位置を検出するものである請求項２〜４のいずれかに記載の画像処理装置。
【発明の詳細な説明】
【技術分野】
【０００１】
本発明は，読み取られた原稿の画像データに印字処理等の所定の画像処理を行う画像処理装置に関し，特に，読み取られたブック原稿の見開き画像の中央部に生じる黒影画像を補正により消去することのできる画像処理装置に関するものである。
【背景技術】
【０００２】
複写機等の画像処理装置で本等のブック原稿の見開き画像を読み取る場合，上記ブック原稿の見開き面の中央部が原稿台のコンタクトガラスに接触しないため，即ち，上記ブック原稿の中央部と上記コンタクトガラスとの間に隙間が生じるため，読み取られた見開き画像の中央部には黒影画像が生じる。このような黒影画像を上記見開き画像から消去するいわゆる黒影補正機能が備えられた複写機やスキャナ装置が従来広く知られている。
上記黒影補正機能は，一般に，利用者によって予め指定された上記ブック原稿の見開き中央部の位置（補正位置）を中心に，利用者によって予め指定された補正範囲（マージン幅等）の白色画像を上記見開き画像に貼り付けるという処理を行うことにより，上記黒影画像を消去する機能である。
【発明の開示】
【発明が解決しようとする課題】
【０００３】
しかしながら，上記従来の黒影補正機能では，利用者自身が上記補正位置及び補正範囲を指定しなければならない。そのため，この指定された補正位置及び補正範囲に誤りがあり，実際の読取画像上で黒く影となる範囲と，指定された補正範囲とが一致しない場合もあり得る。このとき，読み取られた見開き画像に生じた黒影画像が利用者により指定された上記補正範囲よりも大きい場合は，上記黒影画像を完全に消去することができず，再度，補正位置や補正範囲を指定し直すという煩雑な作業を行う必要がある。
また，本等のブック原稿の中央部とコンタクトガラスとの間の隙間は，利用者による上記ブック原稿の押し付け力の力加減により変化するため，かかる変化を考慮して，上記補正範囲は上記黒影画像よりも十分大きく指定しなければならない。そのため，補正範囲の指定ミスにより，指定された補正範囲が上記黒影画像以外のブック原稿の画像にまで及ぶ場合があり，この場合も，再度，補正位置や補正範囲を指定し直すという煩雑な作業を行う必要がある。
また，そもそも，上記補正位置及び補正範囲を指定するという指定作業自体が非常に煩雑なものであった。
従って，本発明は上記事情に鑑みてなされたものであり，その目的とするところは，読み取られたブック原稿の見開き画像に生じた黒影画像を補正により消去する際の補正位置の指定，補正範囲の指定を自動化することにより，装置の操作性を向上させることが可能な画像処理装置を提供することにある。
【課題を解決するための手段】
【０００４】
上記目的を達成するために本発明は，コンタクトガラス上に載置された原稿の画像データを読み取る画像読取手段と，上記画像読取手段により読み取られたブック原稿の見開き画像を補正して，上記見開き画像の中央部の黒影画像を上記ブック原稿の地肌色或いは白色の画像に変換する黒影画像変換手段と，を備えてなる画像処理装置において，上記ブック原稿の見開き面中央部の上記コンタクトガラスからの浮き高さを測定する浮き高さ測定手段と，上記浮き高さ測定手段による測定結果に基づいて，上記黒影画像変換手段により上記地肌色或いは白色の画像に変換される上記黒影画像の補正範囲を自動的に決定する補正範囲決定手段と，を具備してなることを特徴とする画像処理装置として構成されている。
これにより，補正範囲を指定するという煩雑な作業を行うことなく上記黒影画像の補正範囲が自動的に決定されるため，上記画像処理装置の操作性が向上され得る。これにより，指定範囲の入力間違い等の人的な操作ミスがなくなり，且つ，装置の操作時間が短縮されるため，上記画像処理装置の利用効率が高められる。
なお，上記ブック原稿の見開き面中央部の上記コンタクトガラスからの浮き高さとは，上記ブック原稿の見開き面の中央部が上記コンタクトガラスに接触しないために生じる上記ブック原稿の中央部と上記コンタクトガラスとの間の隙間（空間）の鉛直方向の高さ（距離）をいう。
【０００５】
また，本発明は，上記コンタクトガラスに対する上記ブック原稿の見開き面中央部の位置を検出する中央位置検出手段を更に備えてなる画像処理装置として構成されたものであってもよい。この場合，上記黒影画像変換手段は，上記中央位置検出手段により検出された上記ブック原稿の見開き面中央部の位置を中心にして，上記補正範囲決定手段により決定された補正範囲の上記見開き画像における画像領域を上記地肌色或いは白色の画像に変換するものであることが望ましい。
これにより，上記コンタクトガラスに対する上記ブック原稿の見開き面中央部の位置，即ち，黒影画像の補正位置が自動的に決定され，この補正位置を中心にして上記決定された補正範囲の領域が白色画像等に自動的に変換されるため，補正位置を指定するという煩雑な作業を行うことなく黒影画像が補正により消去される。
【０００６】
また，上記浮き高さ測定手段としては，主走査方向若しくは副走査方向へ突出する長手部材と，上記長手部材を上記コンタクトガラスの鉛直方向に移動自在に支持すると共に，上記副走査方向或いは上記主走査方向に平行移動可能に構成された支持部材と，上記支持部材により支持された上記長手部材と上記コンタクトガラスとの離間距離を測定する離間距離測定手段と，を備えて構成されたものが考えられる。
この場合，上記支持部材には上記コンタクトガラスの鉛直方向に上記長手部材を付勢する付勢手段が備えられていることが好ましい。
【０００７】
また，上記中央位置検出手段は，上記副走査方向或いは上記主走査方向に平行移動する上記支持部材或いは該支持部材に支持された上記長手部材の移動位置を検出することにより上記ブック原稿の見開き面中央部の位置を検出するものであれば，上記ブック原稿の見開き面中央部の位置，即ち，黒影画像の補正位置を容易に特定することが可能となる。
【発明の効果】
【０００８】
以上説明したように，本発明は，原稿の画像データを読み取る画像読取手段と，読み取られたブック原稿の見開き画像の中央部の黒影画像を上記ブック原稿の地肌色或いは白色の画像に変換する黒影画像変換手段とを有する画像処理装置に，上記ブック原稿の見開き面中央部のコンタクトガラスからの浮き高さを測定する浮き高さ測定手段と，上記浮き高さ測定手段による測定結果に基づいて，読み取られたブック原稿の見開き画像に生じる黒影画像の補正範囲を自動的に決定する補正範囲決定手段とが，設けられているため，補正範囲を指定するという煩雑な作業を行う必要がなくなる。これにより，指定範囲の入力間違い等の人的な操作ミスがなくなり，上記画像処理装置の操作性が向上される。また，操作性の向上により操作時間が短縮されるため，上記画像処理装置の円滑な利用が図られる。
【０００９】
また，本発明に係る画像処理装置には，上記コンタクトガラスに対する上記ブック原稿の見開き面中央部の位置を検出する中央位置検出手段が更に設けられており，この場合，上記黒影画像変換手段は，上記中央位置検出手段により検出された上記ブック原稿の見開き面中央部の位置を中心にして，上記補正範囲決定手段により決定された補正範囲の上記見開き画像における画像領域を上記地肌色或いは白色の画像に変換するものであるため，上記コンタクトガラスに対する上記ブック原稿の見開き面中央部の位置，即ち，黒影画像の補正位置が自動的に決定され，この補正位置を中心にして上記決定された補正範囲の領域が白色画像等に自動的に変換される。これにより，補正位置を指定するという煩雑な作業を行うことなく黒影画像を補正により消去することができる。
【発明を実施するための最良の形態】
【００１０】
以下添付図面を参照しながら，本発明の一実施形態について説明し，本発明の理解に供する。なお，以下の実施の形態は，本発明を具体化した一例であって，本発明の技術的範囲を限定する性格のものではない。
ここに，図１は本発明の実施の形態に係る複写機Ｘの概略構成を示す全体模式図，図２は図１のＢ−Ｂ断面図，図３は図２のＨ部の拡大詳細図，図４は上記複写機Ｘの制御部の概略構成を示すブロック図，図５は上記複写機Ｘの制御部のデータメモリに格納されたマージン幅対応表，図６は上記複写機Ｘの制御部により実行される黒影補正処理の手順の一例を説明するフローチャート，図７は原稿バーにブック原稿が置かれた状態を示す模式図，図８は図７のＫ部の拡大詳細図である。
まず，図１の全体模式図を用いて，本発明の実施形態に係る複写機Ｘの概略構成について説明する。ここに，図１（ａ）は複写機Ｘの全体模式図，（ｂ）は（ａ）の矢視Ａ−Ａの平面図である。なお，本発明の実施形態に係る複写機Ｘは，画像処理装置の単なる一例にすぎず，本発明に係る画像処理装置の他の例として，画像読取手段を備えたファクシミリ装置やプリンタ装置，或いはスキャナ装置等の画像処理装置，若しくは上記各装置の機能を複数併せ持つデジタル複合機（ＭＦＰ）等が該当する。
図１に示すように，上記複写機Ｘは，大別して，コンタクトガラス１２上に載置された原稿の画像データを読み取る画像読取部２０（画像読取手段の一例）と，この画像読取部２０の下部に配設された画像形成部１５と，該画像形成部１５の下部に配置された給紙装置１６と，これらの各構成装置及び他の機器等を統括的に制御する制御部３０と，上記各構成装置等を収容すると共に上記複写機Ｘの筐体となる複写機本体１０と，該複写機本体１０の上面に開閉自在に設けられた原稿カバー１１とにより構成されている。
上記複写機本体１０の上面にはコンタクトガラス１２を有する原稿台１３が設けられており，また，上記原稿カバー１１は上記コンタクトガラス１２全面を覆うよう上記原稿台１３の端部を中心に開閉自在に取り付けられている。上記原稿カバー１１の上記コンタクトガラス１２を覆う面１４は，原稿から安定した反射光を得るために，主走査方向の読み取り幅全域にわたって白色とされている。
【００１１】
更に，上記原稿台１３には，上記コンタクトガラス１２に本等のブック原稿１が載置された場合に，上記ブック原稿１の見開き面中央部の上記コンタクトガラス１２からの浮き高さ，即ち，上記コンタクトガラス１２に載置されたブック原稿１の見開き面の中央部が上記コンタクトガラス１２に接触しないために生じる上記ブック原稿１の中央部と上記コンタクトガラス１２との間の隙間（空間）の鉛直方向の高さ（距離），を測定する浮き高さ測定手段１７が設けられている。
上記浮き高さ測定手段１７は，上記複写機Ｘの主走査方向へ突出して上記コンタクトガラス１２を渡すよう架設された長尺状の原稿バー１１０（長手部材の一例）と，この原稿バー１１０を上記コンタクトガラス１２の鉛直方向に移動自在に支持すると共に，上記複写機Ｘの副走査方向に平行移動可能に構成された２つのバー支持部１００ａ，１００ｂ（支持部材の一例）と，このバー支持部１００ａ，１００ｂにより両端が支持された上記原稿バー１１０と上記コンタクトガラス１２との離間距離を測定する距離センサＡ１０２（離間距離測定手段の一例，図２又は図３参照）と，により構成されている。
なお，以下の説明では，上記原稿バー１１０が２つのバー支持部１００ａ，１００ｂにより支持された実施形態について述べるが，上記バー支持部１００ａ，１００ｂのいずれか一方だけで上記原稿バー１１０を支持する形態であってもかまわない。この場合，上記原稿バー１１０は上記コンタクトガラス１２を渡る長尺状のものでなく，短尺状のものであっても良く，或いは，上記原稿バー１１０が長手方向の長さを自在に伸縮するものであっても良い。
更に，上記原稿バー１１０は上記複写機Ｘの主走査方向へ突出した長尺状の長手部材として説明するが，上記複写機Ｘの副走査方向に突出した長手部材であってもかまわない。この場合，上記バー支持部１００ａ，１００ｂは上記複写機Ｘの主走査方向に平行移動可能に構成される。
【００１２】
また，上記原稿台１３には，該原稿台１３の主走査方向の両端部であって，上記コンタクトガラス１２の外縁部に，図１（ｂ）に示すように，副走査方向に長いスライド溝２ａ，２ｂが形成されており，このスライド溝２ａ，２ｂの下部（複写機本体１０内部側）には，上記バー支持部１００ａ，１００ｂを上記スライド溝２ａ，２ｂに沿って副走査方向にスライドさせるべくスライドレール３ａ，３ｂが設けられている。上記バー支持部１００ａ，１００ｂのそれぞれは，該バー支持部１００ａ，１００ｂの一部が上記スライド溝２ａ，２ｂに埋設されており，その埋設部１０１（図３参照）は，上記スライドレール３ａ，３ｂと係合して，上記スライド溝２ａ，２ｂに沿って上記バー支持部１００ａ，１００ｂを副走査方向に平行移動させることができるように形成されている。
なお，上記原稿バー１１０は，ブック原稿１の見開き面の画像を読み取る際に用いるものであり，上記原稿バー１１０未使用時は図１の矢印Ｑの位置，即ち，原稿カバー１１の全閉が可能な位置に移動されている。上記ブック原稿１の見開き面の画像を読み取る場合は，図７に示すように，上記ブック原稿１を見開き面を下にして上記原稿バー１１０に掛けるようにして，即ち，上記ブック原稿１の見開き面の中央部に上記原稿バー１１０が当接するようにして，上記ブック原稿１を上記コンタクトガラス１２に載置する。
【００１３】
ここで，図２及び図３を用いて，上記バー支持部１００ａの構成について更に詳細に説明する。なお，上記バー支持部１００ｂの構成は上記バー支持部１００ａと略同一であるため，ここではその説明を省略する。
上記バー支持部１００ａは，該バー支持部１００ａの内部に設けられたつるまきバネや板バネ等のバネ或いは弾性ゴム等の弾性部材１０５（付勢手段の一例）を介して上記原稿バー１１０の両端を支持するよう構成されている。上記バー支持部１００ａの内部は，上記弾性部材１０５の上側端部からの弾性力を受ける逆凹状に形成された上側バネ受け部材１０６と，上記弾性部材１０５の下側端部からの弾性力を受ける凹状に形成された下側バネ受け部材１０７と，上記上側バネ受け部材１０６と上記下側バネ受け部材１０７との間で収縮自在に設けられた上記弾性部材１０５と，により構成されている。また，上記上側バネ受け部材１０６には，上記バー支持部１００ａの外壁に設けられた鉛直方向の長孔（不図示）を介して，上記原稿バー１１０の端部が接合されている。
このように上記バー支持部１００ａが構成されているため，上記原稿バー１１０が上記コンタクトガラス１２の鉛直方向に移動自在に支持され，且つ，上記原稿バー１１０が上記コンタクトガラス１２の鉛直方向に付勢される。
【００１４】
また，上記上側バネ受け部材１０６には，上記距離センサＡ１０２が設けられている。本実施形態例では，上記距離センサＡ１０２の具体例として，上記下側バネ受け部材１０７に，上記コンタクトガラス１２の表面と同一高さとなるよう貼着された金属等の検出体１０３との距離に比例してリニアに変化する電圧信号を出力する近接センサ等を用いて説明するが，特に上記距離センサＡ１０２を上記近接センサに限る趣旨ではない。従って，上記距離センサＡ１０２として，例えば，レーザ距離センサ等の光学式センサ，或いはワイヤー式のリニアエンコーダ等の距離センサを用いることも可能である。なお，上記距離センサＡ１０２のセンサ信号は，上記制御部３０に入力され，上記制御部３０において上記センサ信号に応じた上記浮き高さが求められる。
また，上記バー支持部１００ａの上記埋設部１０１の下部には，上記コンタクトガラス１２に対する上記ブック原稿１の見開き面中央部の位置を検出する中央位置検出手段の一例である距離センサＢ１０４が取り付けられている。この距離センサＢ１０４は，副走査方向に平行移動する上記バー支持部１００ａの移動位置（例えば，コンタクトガラス１２上の座標位置原点１２１からの移動距離）を検出することにより，上記原稿バー１１０に掛けられた上記ブック原稿１の見開き面中央部の位置を検出するものである。上記距離センサＢ１０４のセンサ信号が上記制御部３０に入力されると，上記制御部３０において上記センサ信号に応じた上記バー支持部１００ａの移動位置，即ち，上記見開き面中央部の位置が求められる。
本実施形態例では，上記距離センサＢ１０４も，上記距離センサＡ１０２と同様のセンサ（上記バー支持部１００ａの移動位置に応じた電圧信号を出力するセンサ）として説明するが，特にこれに限定する趣旨ではない。
なお，上記距離センサＡ１０２及び距離センサＢ１０４は，２つあるバー支持部のうち，いずれか一方に設けられていれば十分であるため，上記各センサは上記バー支持部１００ａにのみ設けられている。
【００１５】
続いて，図１を用いて上記画像読取部２０について説明する。上記画像読取部２０は，上記コンタクトガラス１２に載置された原稿に光を照射する露光ランプ等の露光装置２１と，上記原稿からの反射光をコンタクトガラス１２を介して受光するミラー等からなるキャリッジ２２と，このキャリッジ２２により受光された反射光を光学レンズ２４に導光する導光ミラー２３ａ，２３ｂと，上記導光ミラー２３ａ，２３ｂを介して導かれた反射光を集光する光学レンズ２４と，上記光学レンズ２４により集光された反射光に含まれる画像情報を電気信号に変換するＣＣＤ２５と，が適宜配設されて構成されている。このように構成された上記画像読取部２０により読み取られた原稿の画像データは，上記制御部３０に送出され，この制御部３０で，上記画像データに対して所定の画像処理が実行される。
上記画像読取部２０により，上記原稿バー１１０を用いて上記コンタクトガラス１２に載置されたブック原稿１が読み取られた場合は，読み取られた上記ブック原稿１の見開き画像が上記制御部３０によって補正され，即ち，上記見開き画像の中央部の黒影画像が，上記ブック原稿１の地肌色或いは白色の画像に変換する黒影補正処理（黒影画像変換手段により達成）がなされる。この黒影補正処理ついては，後段においてフローチャートを用いて説明する。
【００１６】
上記画像形成部１５は，図１に示すように，感光体ドラム１５１と，上記感光体ドラム１５１の表面を所定電位に一様に帯電させる帯電装置１５２と，上記制御部３０から入力された画像データをもとにレーザ光を生成して，上記感光体１５１の表面に静電潜像を作成するべく上記感光体ドラム１５１に上記レーザ光を照射するレーザースキャナユニット１５６と，上記感光体ドラム１５１に担持された静電潜像にトナーを付着させて現像する現像装置１５３と，現像されたトナー画像を上記給紙装置１６によって給紙カセット１６１から搬送された記録紙に転写する転写装置１５４と，該転写装置１５４による転写後に上記感光体ドラム１５１上に残存するトナーを除去するクリーニング装置１５５とにより構成されている。
この画像形成部１５により記録紙上に転写されたトナー画像は，上記画像形成部１５の搬送方向下流側に位置する定着装置１５７により記録紙に定着される。
【００１７】
また，上記複写機本体１０の正面側には，本複写機Ｘの機能設定，コマンドの入力操作，コピー動作の中止等の各種操作を行う操作部４２と，上記複写機Ｘで用いられる各種データや，機能設定を行う際に使用される設定画面等の情報を表示する液晶表示部４１とを有する操作表示パネル４０が設けられている。
【００１８】
ここで，図４のブロック図を用いて，上記制御部３０の概略構成について説明する。上記制御部３０は，図４のブロック図に示すように，中央演算処理装置の一例であるＣＰＵ３１と，該ＣＰＵ３１のメインメモリ（主記憶装置）として演算作業領域に使用されるＲＡＭ３２と，上記複写機Ｘで用いられる各種のデータを記憶するデータメモリ３３と，上記複写機Ｘに適用されるプログラムを格納するプログラムメモリ３４と，上記画像読取部２０により読み取られた原稿画像データ等のイメージデータを記憶する画像メモリ３５と，外部装置と接続してデータ或いは信号の通信を可能とするインターフェース（Ｉ／Ｆ）３６とを備え，これらの各要素が相互に接続されて構成されている。上記Ｉ／Ｆ３６には，上述したＣＣＤ２５，距離センサＡ１０２，距離センサＢ１０４，画像形成部１５，給紙装置１６，操作表示パネル４０，その他モータ等の図示しない駆動系機器等に接続されている。
上記データメモリ３３には，上記制御部３０による黒影補正処理時に必要とされる黒影画像の補正範囲，即ち，ブック原稿１の見開き画像に含まれる黒影画像を補正する範囲（マージン幅）と，前記浮き高さとが対応付けられたテーブルデータ５０が記憶されている。上記データメモリ３３は上記データテーブル５０だけに限らず，例えば，ブック原稿のサイズに応じて上記マージン幅が異なるデータテーブルや，或いは，ブック原稿の種類（例えば，文庫本，百科事典，辞書，雑誌等）に応じたデータテーブルを記憶するものであってもかまわない。この場合，上記操作表示パネル４０の操作部４２からの所定の入力操作によって指定されたブック原稿の種類に応じたデータテーブルを選択する機能（又はプログラム），及び，この機能により選択されたデータテーブルを用いて上記黒影補正処理に用いる補正範囲を決定する機能（又はプログラム）を上記複写機Ｘに設けることが望ましい。また，上記操作部４２の入力操作により，上記液晶表示部４１に表示されたテーブルデータのマージン幅を更新或いは変更する機能（又はプログラム）が設けられておれば，補正範囲の設定自由度が高まり，より一層，操作性が向上され得る。
上記ＣＰＵ３１は，上記プログラムメモリ３４に格納されたプログラムを読み出し，この読み出されたプログラムに従って所定の演算処理を実行するものである。このＣＰＵ３１により上記所定の演算処理がなされることにより，上記黒影補正処理が行われると共に，上記Ｉ／Ｆ３６を介して接続された各機器及び本複写機Ｘ全体が制御される。なお，上記制御部３０は，上述の如く構成されたものに限られず，例えば上記制御部３０の各構成要素が集積化されたＤＳＰ（Digital Signal Processor）等の１チップコンピュータ（マイクロコンピュータ等）であってもかまわない。
【００１９】
次に，図６のフローチャートを用いて本複写機Ｘの制御部３０（のＣＰＵ３１）が前記プログラムメモリ３４に格納されたプログラムに従って実行する黒影補正処理（補正範囲決定処理を含む）の手順の一例について説明する。図中のＳ１０，Ｓ２０，…は処理手順（ステップ）番号を示す。処理はステップＳ１０より開始される。
本複写機Ｘにおいて，上記操作表示パネル４０の図示しないコピースタートキーが入力されると（Ｓ１０），上記制御部３０は，上記露光装置２１に露光を開始させ，上記キャリッジ２２を副走査方向に移動させて，上記コンタクトガラス１２上に載置された原稿の画像データを上記画像読取部２０に読み取らせる（Ｓ２０）。
その後，ステップＳ３０において，上記原稿バー１１０がコンタクトガラス１２上にあるかどうかが判断される。この判断は，上記原稿バー１１０が使用されているかどうか，即ち，上記原稿バー１００を用いてブック原稿１の見開き面の画像データが読み取られたかどうかを検知するための判断であり，例えば，上記距離センサＢ１０４のセンサ信号に基づいて，上記バー支持部１００ａが上記コンタクトガラス１２上に移動されたかどうかを判断することにより行われる。
ここで，上記原稿バー１１０が移動されず，上記コンタクトガラス１２上に上記原稿バー１１０が無いと判断されると，続いて処理はステップＳ９０に進み，上記ステップＳ２０で読み取られた原稿画像が上記制御部３０による黒影補正処理がなされないまま，印字出力される（Ｓ９０）。一方，上記ステップＳ３０において，上記コンタクトガラス１２上に上記原稿バー１１０があると判断されると，処理はステップＳ４０に進む。
【００２０】
処理がステップＳ４０に進むと，ここでは，ブック原稿１の見開き面中央部の位置，即ち，読み取られた見開き画像の中央部の位置を検出するために，上記制御得３０によって，上記原稿バー１１０の副走査方向の位置を検出する処理（中央位置検出処理）が実行される。この処理は，上記距離センサＢ１０４のセンサ信号に基づいて行われる。
その後，ステップＳ５０において，上記ブック原稿１の浮き高さを検出するために，上記原稿バー１１０の上記コンタクトガラス１２からの浮き高さ（距離）を検出する処理（浮き高さ測定処理）が実行される。かかる処理は，例えば，図７（ａ）のような状態でブック原稿１の見開き面が読み取られた場合は，前記距離センサＡ１０２のセンサ信号に応じた上記原稿バー１１０の高さｈ１が検出される。また，図７（ａ）の状態のブック原稿１を下方に押しつけときの状態（図７（ｂ））で該ブック原稿の見開き面が読み取られた場合は，前記距離センサＡ１０２のセンサ信号に応じた上記原稿バー１１０の高さｈ２（＜ｈ１）が検出される。
【００２１】
ステップＳ５０において，上記原稿バー１１０の高さが検出されると，上記制御部３０により，上記ステップＳ４０で検出された上記原稿バー１１０の浮き高さに基づいて，後述する黒影画像変換処理（Ｓ７０）によって原稿１の地肌色或いは白色の画像に変換される補正範囲を自動的に決定する処理（補正範囲決定処理）がなされる。具体的には，前記データメモリ３３（図４参照）に記憶されたテーブルデータ５０から，上記ステップＳ４０で検出された上記浮き高さに対応したマージン幅が選択され，上記ステップＳ２０で読み取られたブック原稿の見開き画像に含まれる黒影画像の補正範囲を選択されたマージン幅に自動的に設定する処理が実行される（Ｓ６０）。例えば，図７（ａ）の上記原稿バー１１０の高さｈ１が「１２ｍｍ」のときは，補正範囲が「１４ｍｍ」に設定され，図７（ｂ）の上記原稿バー１１０の高さｈ２が「６ｍｍ」のときは，補正範囲が「７ｍｍ」に設定される。なお，本実施形態例では，主走査方向にブック原稿１の上下方向が向けられて原稿画像が読み取られるため，上記テーブルデータ５０の上記マージン幅は副走査方向の幅を示す。
【００２２】
上記ステップＳ６０において，上記補正範囲が設定されると，その後，上記ステップＳ４０で検出された上記ブック原稿１の見開き面中央部の位置を中心にして，上記ステップＳ６０で設定された補正範囲の上記読み取られた見開き画像における画像領域を上記ブック原稿１の地肌色或いは白色の画像に変換する処理（黒影画像変換処理）が，上記制御部３０によって実行される（Ｓ７０）。続いて，ステップＳ８０で上記ステップＳ７０で変換された見開き画像が印字出力され，その後，一連の処理が終了する。
このように，上記ステップＳ６０の処理により，上述で説明した黒影補正処理が行われる補正範囲が自動的に設定されるため，補正範囲を指定するという煩雑な作業を行うことなくなり，その結果，上記複写機Ｘの操作性が向上される。
【実施例】
【００２３】
ここで，上述の実施形態例において説明した補正範囲決定処理（図６のフローチャートのステップＳ６０の処理）の他の実施例について説明する。
本複写機Ｘのコンタクトガラス１２上にブック原稿１を載置すると，図８に示すように，ブック原稿１のノド部１ａを頂点とし，その頂点を中心に所定角度θの頂角を有する略三角形状の隙間（空間）が形成される。このとき，上記略三角形状の隙間の底辺の長さｔは黒影画像が生じる幅に相当する。一般に，上記所定角度θは略一定の値となると考えられるため，上記略三角形状の隙間の底辺の長さｔ，即ち，黒影画像が生じる幅ｔは，上記所定角度θ及び原稿バー１１０の浮き高さｈ１を用いて以下の式（１）のように表すことができる。
【数１】
2005244825.tif 000003
このように黒影画像が生じる幅ｔは上式（１）のように表すことができるため，前記ステップＳ５０（図６）で求められた上記原稿バー１１０の浮き高さに基づいて，上式（１）に従った演算処理を上記制御部３０に実行させ，これにより得られた演算値ｔを上記黒影画像変換処理により変換される補正範囲に自動的に決定することにより，補正範囲を設定することが可能となる。上記補正範囲決定処理がこのように実行される処理であれば，データメモリ３３（図４）に前記テーブルデータ５０を記憶させる必要が無くなるため，上記データメモリ３３の容量を縮小させることが可能となる。この場合，上記所定角度θの値を前記操作表示パネル４０からの操作により変更可能とすることが望ましい。
また，上記所定角度θは略一定の値となるものの，ブック原稿の種類等によっては微差ではあるが多少なりとも異なるものである。そのため，例えば，ブック原稿のサイズや，ブック原稿の種類（例えば，文庫本，百科事典，辞書，雑誌等）に対応した上記所定角度θを上記データメモリ３３に記憶させておき，前記操作表示パネル４０の操作部４２からの所定の入力操作によって上記データメモリ３３に記憶された上記所定角度θを指定する機能（又はプログラム），及び，この機能により指定された所定角度θに基づき上記式（１）の演算処理を行う機能（又はプログラム）を上記複写機Ｘに設けることが望ましい。
【図面の簡単な説明】
【００２４】
【図１】本発明の実施の形態に係る複写機Ｘの概略構成を示す全体模式図。
【図２】図１のＢ−Ｂ断面図。
【図３】図２のＨ部の拡大詳細図。
【図４】上記複写機Ｘの制御部の概略構成を示すブロック図。
【図５】上記複写機Ｘの制御部のデータメモリに格納されたマージン幅対応表。
【図６】上記複写機Ｘの制御部により実行される黒影補正処理の手順の一例を説明するフローチャート。
【図７】原稿バーにブック原稿が置かれた状態を示す模式図。
【図８】図７のＫ部の拡大詳細図。
【符号の説明】
【００２５】
Ｘ…複写機
２ａ，２ｂ…スライド溝
３ａ，３ｂ…スライドレール
１０…複写機本体
１１…原稿カバー
１２…コンタクトガラス
１３…原稿台
１５…画像形成部
１６…給紙装置
１７…浮き高さ測定手段
２０…画像読取部
３０…制御部
４０…操作表示パネル
１００ａ，１００ｂ…バー支持部（支持部材の一例）
１０２…距離センサＡ（離間距離測定手段の一例）
１０４…距離センサＢ（中央位置検出手段の一例）
１０５…弾性部材（付勢手段の一例）
１１０…原稿バー（長手部材の一例）
【図１】
2005244825.tif 000004
【図２】
2005244825.tif 000005
【図３】
2005244825.tif 000006
【図４】
2005244825.tif 000007
【図５】
2005244825.tif 000008
【図６】
2005244825.tif 000009
【図７】
2005244825.tif 000010
【図８】
2005244825.tif 000011